(57)【要約】      （修正有）【課題】装飾体を傷つけないようにして、従来に比して格段的に簡易に装飾体を移動可能に保持することができるようにする装身具を提供する。【解決手段】装飾体３に設けた貫通孔３Ａの中央に、弾性体によるチューブ６を配置すると共に、このチューブ６の両端部に、貫通孔３Ａの内側壁面に沿って延伸する円筒形状による部位４Ａ、５Ａを設ける。さらに、この円筒形状による部位４Ａ、５Ａの貫通孔３Ａの開口端側より外周側に延出して、装飾体３を部分的に覆って保護する部位４Ｂ、５Ｂとを有する終端部材４、５をそれぞれ設け、チューブ６による外周からのチェーン２の押圧により装飾体３をチェーン２の所望の位置に保持する。【選択図】図３
0003172642.tif 000002
【実用新案登録請求の範囲】
【請求項１】
チェーンに装飾体を保持した装身具において、
前記装飾体には、貫通孔が設けられ、
前記貫通孔の長手方向の中央に、弾性体によるチューブが配置され、
前記貫通孔の前記チューブの両端部には、前記貫通孔の内側壁面に沿って延伸する円筒形状による部位と、前記円筒形状による部位の前記貫通孔の開口端側より外周側に延出して、前記装飾体を部分的に覆って保護する部位とを有する終端部材がそれぞれ設けられ、
前記終端部材の円筒形状による部位、及び前記チューブを挿通して前記チェーンが配置されて、前記チューブによる外周からの前記チェーンの押圧により前記装飾体が前記チェーンの所望の位置に保持される
装身具。
【請求項２】
前記装飾体が、真珠玉であり、
前記装飾体を部分的に覆って保護する部位が、前記円筒形状による部位の端部に設けられた円盤状のつばである
請求項１に記載の装身具。
【考案の詳細な説明】
【技術分野】
【０００１】
本考案は、ネックレス、ブレスレット、アンクレット等の装身具に関し、真珠、貴石、貴金属等の装飾体をチェーンに保持した装身具に関する。
【背景技術】
【０００２】
従来より、ネックレス等の装身具には、真珠等の装飾体に貫通孔を設け、この貫通孔を利用してチェーンに装飾体を保持したものが提供されている。このような装身具には、装飾体を移動させて所望の位置に保持できるように構成された物もあり、このような装身具は、装着者の好みによって装飾体の位置を変更して種々に形態を変更することができる。
【０００３】
従来、このような装身具に関して、装飾体の保持方法の工夫が種々に提案されている。具体的に、例えば特開２００１−３４６６１１５号公報には、装飾体の貫通孔にＯリングを配置し、このＯリングによりチェーンを押圧して移動可能に装飾体を保持する方法が提案されている。また特開２００５−５８７９９号公報には、装飾体の内側に設けた空洞にエラストマーを充填し、このエラストマーとチェーンとの間の摩擦力により、移動可能に装飾体を保持する方法が提案されている。また特開２００７−３１３２１５号公報には、金属製ワイヤの中芯を取り除いて作成したチューブ状の連繋索に、波型に加工した弾性ワイヤを挿入してチェーンに利用する方法が提案されている。
【先行技術文献】
【特許文献】
【０００４】
【特許文献１】特開２００１−３４６６１１５号公報
【特許文献２】特開２００５−５８７９９号公報
【特許文献３】特開２００７−３１３２１５号公報
【考案の概要】
【考案が解決しようとする課題】
【０００５】
ところがこのような従来の方法は、実用上未だ不十分な問題がある。
【０００６】
すなわち例えば特開２００１−３４６６１１５号公報に開示の方法は、Ｏリングを配置するための孔加工が煩雑な問題がある。またＯリングがチェーンの凹凸に引っ掛かって滑らかに装飾体を移動できない問題もある。また特開２００５−５８７９９号公報に開示の手法は、エラストマーを充填する作業、装飾体に空洞を作成する作業が煩雑な問題がある。また特開２００７−３１３２１５号公報に開示の手法は、チェーンの構成が複雑になり、またチェーンのデザインが制限される等の問題がある。またこれらの方法は、貫通孔の開口端部で装飾体がチェーンに直接接触することにより、装飾体を傷付けてしまう恐れがある。
【０００７】
本考案は、これらの問題点を一挙に解決して、装飾体を傷つけないようにし、かつ従来に比して簡易に装飾体を移動可能に保持することができる装身具を提案することを目的とする。
【課題を解決するための手段】
【０００８】
（１）  チェーンに装飾体を保持した装身具において、
前記装飾体には、貫通孔が設けられ、
前記貫通孔の長手方向の中央に、弾性体によるチューブが配置され、
前記貫通孔の前記チューブの両端部には、前記貫通孔の内側壁面に沿って延伸する円筒形状による部位と、前記円筒形状による部位の前記貫通孔の開口端側より外周側に延出して、前記装飾体を部分的に覆って保護する部位とを有する終端部材がそれぞれ設けられ、
前記終端部材の円筒形状による部位、及び前記チューブを挿通して前記チェーンが配置されて、前記チューブによる外周からの前記チェーンの押圧により前記装飾体が前記チェーンの所望の位置に保持される装身具。
【０００９】
（１）によれば、チューブによる外周からのチェーンの押圧により装飾体を移動可能としてチェーンの所望の位置に保持することができる。このように保持するにつき、装飾体に設けた貫通孔に終端部材、チューブを順次配置するだけの簡易な構成、作業により装身具を作成することができる。またチューブによるチェーンの押圧により装飾体の移動を制限することにより、Ｏリングを使用する場合のような引っ掛かりの発生を防止して滑らかに装飾体を移動させることができる。また種々のチェーンを適用することもできる。さらにチューブ、終端部材により装飾体のチェーンによる傷付きも低減することができる。これらにより装飾体を傷つけないようにして、従来に比して格段的に簡易に装飾体を移動可能に保持することができる。
【００１０】
（２）  （１）において、
前記装飾体が、真珠玉であり、
前記装飾体を部分的に覆って保護する部位が、前記円筒形状による部位の端部に設けられた円盤状のつばである。
【００１１】
（２）によれば、真珠のネックレス等に適用して、装飾体を傷つけないようにして、従来に比して格段的に簡易に装飾体を移動可能に保持することができる。
【考案の効果】
【００１２】
本考案によれば、装飾体を傷つけないようにして、従来に比して格段的に簡易に装飾体を移動可能に保持することができる。
【図面の簡単な説明】
【００１３】
【図１】本考案の第１実施形態に係る装身具を示す図である。
【図２】図１の装身具における装飾体を詳細に示す図である。
【図３】図２の装飾体の断面図である。
【考案を実施するための形態】
【００１４】
以下、本考案の実施形態について図面を参照しながら説明する。
【００１５】
〔第１実施形態〕
図１は、本考案の第１実施形態に係る装身具１を示す図である。この装身具１は、ネックレスであり、チェーン２に複数の装飾体３が設けられ、チェーン２の両端には留め金が設けられる。なおこの図１では、留め金の記載を省略して示す。ここで装飾体３は、この実施形態では真珠玉である。
【００１６】
図２に部分的に拡大して示すように、装飾体３は、中心に貫通孔３Ａが設けられ、この貫通孔３Ａにチェーン２を挿通してチェーン２に保持される。装飾体３は、矢印Ａにより示すように、一定以上の力により移動可能にチェーン２に保持される。これにより装身具１は、装着者の好みにより真珠玉の配置を自由に変更して装飾効果を向上することができる。なおこの実施形態において、チェーン２は、球状の基本構成体を順次連結して作製される。
【００１７】
図３は、図２との対比により、貫通孔３Ａの中心軸を通る面により装飾体３を切り取って示す断面図である。装飾体３には、ドリリングにより断面円形形状による貫通孔３Ａが作成される。装飾体３は、この貫通孔３Ａの中心軸方向のほぼ中央部分に、弾性体によるチューブ６が設けられる。ここでこのチューブ６は、シリコンゴム等による部材が適用されて、円筒形状により形成される。チューブ６は、貫通孔３Ａの内側壁面に密着するようにその外径が選定され、またチェーン２の外形より所定寸法だけ内径が小さくなるように選定される。なおここでこの所定寸法は、チェーン２を押圧して装飾体３を移動させる際の抗力を適切に設定するために設定される。
【００１８】
これによりこの装身具１は、このチューブ６による外周からのチェーン２の押圧により装飾体３をチェーン２の所望の位置に移動可能に保持する。ここでこのようにしてチューブ６によりチェーン２を押圧する場合には、チェーン２を構成する基本構成単位の複数個を同時にチューブ６により押圧することができ、これによりＯリングにより押圧する場合のような引っ掛かりを有効に回避して滑らかに装飾体３を移動させることができる。これにより高級感を醸し出すことができる。
【００１９】
装飾体３は、このチューブ６の両端部に、終端部材４、５がそれぞれ設けられる。ここで終端部材４、５は、貫通孔３Ａの内側壁面に沿って延伸する円筒形状による部位４Ａ、５Ａと、この円筒形状による部位４Ａ、５Ａの貫通孔３Ａの開口端側より外周側に延出して装飾体３を部分的に覆って保護する部位４Ｂ、５Ｂとを有する。ここでこの装飾体３を保護する部位４Ｂ、５Ｂは、円盤形状によるつばである。これにより装身具１では、貫通孔３Ａの開口端でチェーン２が装飾体３に直接接触しないようにし、装飾体３の損傷を防止する。
【００２０】
装飾体３では、この終端部材４、５の先端がチューブ６の両端に当接するように選定される。また終端部材４、５は、例えば真鍮等の金属材を加工して作成され、例えばエポキシ樹脂系等の接着剤により装飾体３に接着して保持される。これにより装身具１は、終端部材４、５によりチューブ６を貫通孔３Ａに保持して、チューブ６の脱落を防止する。またこれにより装飾体３をドリルにより孔加工した後、チューブ６を配置してその両側から終端部材４、５を接着により配置するだけの簡易な構成、作業により組み立てることができ、これにより従来に比して格段的に簡易に装飾体を移動可能に保持することができる。装身具１は、その後チェーン２に装飾体３を配置して作成される。
【００２１】
なお終端部材４、５の先端がチューブ６の両端に当接するように設定されていることにより、そもそも貫通孔３Ａの内側でも、装飾体３の移動により可動するチェーン２に貫通孔３Ａの内側壁面が接触しないようにすることができ、これによっても貫通孔３Ａの損傷による装飾体３の損傷を防止することができる。
【００２２】
この実施形態によれば、装飾体に設けた貫通孔の中央に、弾性体によるチューブを配置すると共に、このチューブの両端部に、貫通孔の内側壁面に沿って延伸する円筒形状による部位と、この円筒形状による部位の貫通孔の開口端側より外周側に延出して、装飾体を部分的に覆って保護する部位とを有する終端部材をそれぞれ設け、チューブによる外周からのチェーンの押圧により装飾体をチェーンの所望の位置に保持することにより、装飾体を傷つけないようにして、従来に比して格段的に簡易に装飾体を移動可能に保持することができる。従って装着者の好みにより環状のネックレスの中の真珠玉の位置を自由に変更して装飾効果を高めることができる。またさらに装飾体を保護し、さらには貫通孔を保護することができる。また必要に応じて装飾体である真珠玉に装飾をほどこしても、この装飾を損なわないようすることができ、この場合には、より一段と装飾効果を確保することができる。
【００２３】
〔他の実施形態〕
以上、本考案の実施に好適な具体的な構成を詳述したが、本考案は、本考案の趣旨を逸脱しない範囲で、上述の実施形態の構成を種々に変更することができる。
【００２４】
すなわち上述の実施形態では、装飾体に真珠玉を適用する場合について述べたが、本考案はこれに限らず、翡翠等の貴石、水晶等の半貴石を装飾体に適用する場合、さらにはカメオ、各種の金属加工品を装飾体に適用する場合にも広く適用することができる。
【００２５】
また上述の実施形態では、本考案をネックレスに適用する場合について述べたが、本考案はこれに限らず、ブレスレット、アンクレット等のチェーンに装飾体を保持した装身具に広く適用することができる。
【００２６】
またさらに上述の実施形態では、球状の基本構成体を順次連結したチェーンを使用する場合について述べたが、本考案はこれに限らず、各種形状のチェーンを使用する場合にも広く適用することができる。
【００２７】
また上述の実施形態では、１重によりチェーンを設ける場合について述べたが、本考案はこれに限らず、２重、３重によりチェーンを設ける場合にも広く適用することができる。なおこのように２重、３重によりチェーンを設ける場合には、チューブの貫通孔をチェーン毎に設けるようにしてもよい。具体的には、例えば２重による場合は、チューブの中心にめがね形状による貫通孔を設ける場合等である。
【００２８】
また上述の実施形態では、装飾体に設けた貫通孔に直接、チューブ、終端部材を配置する場合について述べたが、本考案はこれに限らず、例えば筒状の部材を介在させ、装飾体の透明度が高い場合でも、チューブ、終端部材が見て取られないようにしてもよい。またさらにはこの筒状の部材の外周面に装飾を施し、さらに一段と装飾効果を図るようにしてもよい。
【符号の説明】
【００２９】
１  装身具
２  チェーン
３  装飾体
３Ａ  貫通孔
４  チューブ
５  終端部材
【図１】
0003172642.tif 000003
【図２】
0003172642.tif 000004
【図３】
0003172642.tif 000005